(57)【特許請求の範囲】
【請求項１】
略菱形に形成した可撓性素材の平板を２枚合わせして外周に沿って縫製して表層部と裏層部を持たせたものを基材とし、該基材の長手方向の一方の先端部にはキー類を保持するリング部を連結させた金具等を固着し、該基材の長手方向の両端部近傍に磁石を内包固定させ、該基材の中間部で二つ折り可能にして、前記磁石の磁力により可逆的に相手部材に簡便に着脱させ得ることを特徴とするクリップ式キーホルダー。
【請求項２】
可撓性素材の平板の基材の表層部の表面に、絵、文字等を転写、刻印、印字することを特徴とする請求項１に記載のクリップ式キーホルダー。
【請求項３】
可撓性素材が皮、合成皮革、紙、樹脂、織布などであることを特徴とする請求項１又は請求項２に記載のクリップ式キーホルダー。
【発明の詳細な説明】
【技術分野】
【０００１】
本件発明は、キーホルダーをバッグやポケットに簡単に着脱できるうえ、冷蔵庫やボードなどの強又は常磁性体の表面にも容易に磁気作用による着脱が可能であるクリップ式キーホルダーに関するものである。
【背景技術】
【０００２】
自家用自動車や、自宅の玄関、自転車などの鍵類（以下キーと表記する）を多数一括して保持するキーホルダーは多様な形状や構造を持つ多様なものが実用されている。
しかしながら、そのキー自体を保持する側にはリング形状の物が数多く見受けられるが、他方の構造や機能はデザインが重視されたグリップ方式のものが多く、使用時には衣服のポケットや鞄の中に一時保管される。その場合ポケットや鞄の中では無作為に集合したキーホルダーが底部に塊状態となることが実態である。
【０００３】
一方、一時保持する構造としてのグリップは、単なるリング状のもの、ナスカン状のもの、ストラップ紐状が多く用いられ、バッグ等では手提げ部にクリップすることは出来ても衣服のポケットには適用しがたい構造である。
また、非使用時には各自が定めた小物入れの引き出し等の平面部や、壁面等に固着されたフックにつり下げるという保管状態が大半である。
【０００４】
その解決方法として、ズボンのベルトに保持するための取り付け部を設けることが提案されているが、ベルト以外では非着脱側が一定の硬さを有する素材以外にグリップすることには無理がある。（特許文献１）
また、キーのリング部に挟みクリップを連結し手提げ袋の内ポケットに保持する提案も見られるが、保持される側が平板でることの制約が生じて汎用性が低い。（特許文献２）
また、折り返し部を有する部材に雌雄一対のフック金具を設けて、ベルト通しに着脱できる構造とした携行に便利なキーホルダーが提案されているが、被着脱側がベルト状であることの条件であり汎用性が高いとは言い切れない。（特許文献）
【先行技術文献】
【特許文献】
【０００５】
【特許文献１】特開２００３-３５０５６号  公開公報
【特許文献２】特開２００１-３０３８１１号  公開公報
【特許文献３】特開平９-５６５６８号  公開公報
【発明の概要】
【発明が解決しようとする課題】
【０００６】
前記の問題点に鑑み、本件発明者は、デザイン的に、かつ持ち運びにもまったくシンプルであり、衣服のポケット部、バッグのポケット部の上端や手提げ部、ズボンのベルト部のほか、強又は常磁性材料を用いた冷蔵庫やボードの表面にも簡単・容易に着脱保管が可能であるクリップ式キーホルダーを提案するものである。
【課題を解決するための手段】
【０００７】
請求項１の発明は、略菱形に形成した可撓性素材の平板を２枚合わせして外周に沿って縫製して表層部と裏層部を持たせたものを基材とし、該基材の長手方向の一方の先端部にはキー類を保持するリング部を連結させた金具等を固着し、該基材の長手方向の両端部近傍に磁石を重ね合わせて内包固定させ、該基材の略中間部で二つ折り可能にしてグリップ部を形成し、かつ前記磁石の磁力により強又は常磁性材料に着脱させ得ることを特徴とするクリップ式キーホルダー。
請求項２の発明は、請求項１に記載の該基材に用いる可撓性素材の平板の表層側の表面に、絵、文字等を転写、刻印、印字することを特徴とするクリップ式キーホルダー。
請求項３の発明は、請求項１又は請求項２に記載の該基材に用いる可撓性素材が皮、合成皮革、紙、樹脂、織布などあることを特徴とするクリップ式キーホルダー。
【図面の簡単な説明】
【０００８】
【図１】クリップ式キーホルダーの開放状態の正面図
【図２】クリップ式キーホルダーの開放状態の側面図
【図３】クリップ式キーホルダーの装着状態の側面図
【図４】クリップ式キーホルダーをバッグに装着した状態斜視図
【図５】クリップ式キーホルダーをズボンのポケットに装着した状態斜視図
【図６】クリップ式キーホルダーを冷蔵庫に係留（磁力接着）した保管状態斜視図。
【発明を実施するための形態】
【０００９】
請求項１について図１〜図６を用いて説明する。
略菱形に形成した可撓性素材の平板を２枚合わせして外周に沿って縫製６して表層部と裏層部を持たせたものを基材２とし、該基材２の長手方向の一方の先端部にはキー類を保持するリング部５を連結させた金具４をネジや接着等の方法で固着し、該基材２の長手方向の両端部近傍に磁石３を縫製や接着等により内包固定させ、該基材２の略中間部で二つ折り可能にしてグリップ部を形成し、該基材２の内部に内包固定された前記磁石３の裏層部の磁石３の磁力により非着脱材であるバッグ７の上端、又は衣服のポケット９或いはベルト等に比較的強固に着脱させ得ることの出来るクリップ式キーホルダー１を創世した。
【００１０】
また、非使用時における保管方法として、該基材２の内部に内包固定された前記磁石３の表層部の磁石３の磁力を利用して、強又は常磁性素材を用いた冷蔵庫１１の表面や同様に強又は常磁性材料を用いた  ディスク、扉、ボードの表面に簡便かつ比較的強固に着脱させ得る機能をも備えたクリップ式キーホルダー１を提供できる。
【００１１】
また、基材２に磁石３を固定する方法についても縫製や接着以外の方法についても本件発明では全て包摂するものとする。
また、本件発明のクリップ式キーホルダー１の形状を略菱形としたが、デザイン上各種の形状が想定・製作可能であり本件発明においてその形状を特定するものではなく全ての形状を包摂するものである。
【００１２】
本件発明で用いる磁石３は、その性能を最大限発揮し、基材に内包固定するに最適な形状は円形磁石を用いるのが最適であるが、本件発明の目的を達成するものであればその形状等を特定するものではなく、全ての形状の磁石３を用いることを包摂するものである。
また、本件発明では可撓性素材の平板を２枚合わせして外周を縫製６してとしたが、接着等による方法を用いても良く、表層部と裏層部を形成する目的に合致する方法であれば、如何なる方法も本件発明では包摂するものとする。
【００１３】
また、図１〜図３に表記した金具４及びリング５の材質や形状についても、デザイン上の自由度が高く、本件発明で表記した形状に特定することなく、本件発明の目的を達成するための機能を有する形状であればその全てを包摂するものである。
【００１４】
請求項２について説明する。
本件発明のクリップ式キーホルダー１は日常的に身近にかつ実用的に活用するものであるため、可撓性素材の特性を活かして何も加工しないで用いることが可能であるが、該基材２に用いる可撓性素材の平板の表層部の表面に、絵、文字等を転写、刻印、印字することにより多様性とデザイン性並びにオリジナル性を表現した特徴あるクリップ式キーホルダー１を提供できる。
【００１５】
本件発明におけるクリップ式キーホルダー１の該基材２の表層部の表面に表現する図柄等は絵、文字等に限定されず、その方法についても転写、刻印、印字にも限定されず、本件発明の目的を達成するための如何なる図柄、方法をも包摂するものとする。
また、各種の色調を表現するため染色や着色などによる自由な色彩表現を行うことも可能であり、その色調に関しても如何なる色調・色彩やその方法についても本件発明においては全てを包摂するものとする。
【００１６】
請求項３について説明する。
本件発明のクリップ式キーホルダー１を構成する該基材２に用いる可撓性素材として皮、合成皮革、紙、樹脂、織布など多様な素材を用いることが可能である。
可撓性素材の選択次第では、皮の魅力、合成皮革の耐久性、樹脂の多様性、織布などの癒し性など、多様な利・活用方法を創出できる魅力を有している。
なお、本件発明では表記した可撓性素材に特定するものではなく、本件発明の目的を達成するための機能を有する可撓性素材であれば全てを包摂するものとする。
【産業上の利用可能性】
【００１７】
本件発明では主に個人が日常使用するキーホルダーの利便性を重視した機能性の高いクリップ式キーホルダーを提案しており、産業上でのビル管理や倉庫管理等における頻繁に使用するキー類の持ち運び及び保管に活用できる。
即ち作業時には作業者のベルトやポケットに簡単に一時保持が可能なため、作業性が向上し紛失の防止のほか、使用途中や使用後には、強又は常磁性材料に対して簡単に着脱保持が可能であるため視覚的にも一時保管状況が明らかになり、保持場所を指定することによりや置き忘れ等の解消にも貢献できるクリップ式キーホルダーを提供できる。
【符号の説明】
【００１８】
１  クリップ式キーホルダー
２  可撓性基材
３  磁石
４  金具
５  リング
６  縫製部
７  バッグ
８  ズボン
９  ポケット
１０  ベルト
１１  冷蔵庫（強又は常磁性材料を用いた冷蔵庫）
１２  キー（鍵）
【図１】
0005406625.tif 000002
【図２】
0005406625.tif 000003
【図３】
0005406625.tif 000004
【図４】
0005406625.tif 000005
【図５】
0005406625.tif 000006
【図６】
0005406625.tif 000007